(57)【要約】【課題】  塗料の保管機能を充分全うし、塗装時の塗装用ロールの塗料付着含有量の調整機能があり、しかも塗装作業時安全で残留塗料の回収処置も容易な塗料缶を提供する。【解決手段】  塗料缶の天板を有壁のトレイ状に形成し、このトレイに塗装用ロールを出し入れ可能で蓋により開閉できる開口を設けると共に、トレイに塗装用ロールに塗料付着量を調整するための塗料量調整ゾーンを設け、この塗料量調整ゾーンは少なくとも１本の凸条を有し、更に、好ましくは、開口に向かう傾斜面を形成させるか、および／または底板を開口の下部に向かって低くなるように傾斜状にするか、および／またはトレイ面上に、トレイ内に収容可能な吊り手を設けることができる。【選択図】      図８
2004331225.tif 000002
【特許請求の範囲】
【請求項１】
塗料缶の天板を有壁凹部を有するトレイ状に形成し、該トレイに、塗装用ロールが出し
入れ可能で蓋により開閉できる開口を設けると共に、前記塗装用ロールの塗料付着含有量
を調整するための塗料量調整ゾーンを設けたことを特徴とする塗料缶。
【請求項２】
前記塗料量調整ゾーンは、その少なくとも一部に凸条を有している請求項１記載の塗料
缶。
【請求項３】
前記塗料量調整ゾーンは、前記開口に向けて傾斜している請求項１または２記載の塗料
缶。
【請求項４】
前記塗料缶の底板が、前記開口の下部に向かって低くなるように、傾斜状に形成されて
いる請求項１ないし３のいずれか１項記載の塗料缶。
【請求項５】
前記トレイ面上に、トレイ内に収容可能な吊り手が設けられている請求項１ないし４の
いずれか１項記載の塗料缶。
【発明の詳細な説明】
【技術分野】
【０００１】
本発明は、塗装用ロールの塗料量調整機能を有する塗料缶に関し、より詳しくは、塗料
を収容する缶の天板を有壁凹部のトレイ状に形成し、このトレイに塗装用ロールを出し入
れ可能で、蓋により開閉できる開口及び塗料量調整ゾーンを設けている塗料缶に関する。
【背景技術】
【０００２】
従来この種の塗料缶としては、下記のものが知られている。
特許文献１に記載された塗料缶ａは、図１６に示すように、缶ｂの側板ｃ内面に線状突
起ｄが設けられて、塗装用ロールｅに対する塗料量の調整機能が付与されてなるものであ
り、この塗料缶ａを使用するには、天板ｆを一辺を残して切り開き開缶して、塗料缶ａ内
の塗料ｐに塗装用ロールｅを入れて塗料ｐを付け、その後側板ｃ内面の線状突起ｄ上で塗
装用ロールｅを転がして塗料ｐを馴染ませ、塗料ｐの付着含有量を調整するようにしたも
のである。
特許文献２に記載された塗料缶も、特許文献１と同様に缶の側板内面に線状突起が設け
られ、塗装用ロールに対する塗料量の調整機能が付与されている。
【０００３】
上記した特許文献１、２とは別の方法で塗装用ロールに対する塗料量の調整機能が付与
されているものとして、下記のものが知られている。
特許文献４に記載された塗料缶ａ１は、図１７に示すように、缶ａの中にネットｇを設
けてなるものであり、このネットｇ上で塗装用ロールｅを転がして塗料ｐを馴染ませ、塗
料ｐの付着含有量を調整するように工夫されている。
【０００４】
また、本出願人の出願にかかる塗料缶として、以下のものがある。
特許文献４の塗料缶は、缶の上部内側に板状の刷毛しごき部が形成されており、その部
分で刷毛に塗料を馴染ませ且つ余分に付着含有した塗料を落とすように工夫されている。
【０００５】
【特許文献１】特開平１１−３１９６８８号公報
【特許文献２】特開２００２−２３４５４５号公報
【特許文献３】実開昭５７−１３６４７４号公報
【特許文献４】実開昭５９−８３７３７号公報
【発明の開示】
【発明が解決しようとする課題】
【０００６】
特許文献１のものは、塗料缶ａを使用する際、天板ｆを一辺を残して切り開き開缶する
から、その開缶口の切り口に誤って手指を触れると切ったり、更に、塗装用ロールｅが切
り口に当たり損傷する虞もあり、また、塗料缶ａの天板ｆを切り開くため、塗装後、残っ
た塗料ｐを再使用に備えて保管する機能が期待できない。また、特許文献２のものは、塗
装時のみ使用する塗装専用缶であり、塗料の保管機能がないものであって、残った塗料の
処置に問題がある。
【０００７】
特許文献３のものも、特許文献２と同様に、塗装専用缶であり塗料の保管機能がなく、
残った塗料の処置に対する配慮はなされていない。
また、特許文献４の塗料缶は、塗料の保管機能があるものの、刷毛を対象とした塗料の
付着含有量の調整機能であって、本発明が目的とする塗装用ロールのためのものではない
。
【０００８】
そこで、本発明の目的は、塗料の保管機能を充分全うしつつ、塗装時における塗装用ロ
ールの塗料の付着含有量の調整機能があって、しかも塗装作業時安全であり、付着含有量
の調整過程で残留した塗料の処置も容易な塗料缶を提供することにある。
【課題を解決するための手段】
【０００９】
本発明は、上記目的を達成するために提案されたものであって、下記の構成からなるこ
とを特徴とするものである。
すなわち、本発明によれば、塗料缶の天板を有壁凹部を有するトレイ状に形成し、該ト
レイに、塗装用ロールが出し入れ可能で蓋により開閉できる開口を設けると共に、前記塗
装用ロールの塗料付着含有量を調整するための塗料量調整ゾーンを設けたことを特徴とす
る塗料缶が提供される。
【００１０】
また、本発明によれば、前記塗料量調整ゾーンはその少なくとも一部に凸条を有してい
る上記塗料缶が提供される。
【００１１】
また、本発明によれば、前記塗料量調整ゾーンは前記開口に向けて傾斜している上記塗
料缶が提供される。
【００１２】
また、本発明によれば、前記塗料缶の底板が、前記開口の下部に向かって低くなるよう
に、傾斜状に形成されている上記塗料缶が提供される。
【００１３】
また、本発明によれば、前記トレイ面上に、トレイ内に収容可能な吊り手が設けられて
いる上記塗料缶が提供される。
【発明の効果】
【００１４】
以上詳述したように、本発明によれば、必要時に、トレイ状に形成した缶の天板に設け
た開口を開け、塗装用ロールに塗料を付着含有させ、天板上に設けた塗料量調整ゾーンで
塗装用ロールの塗料量を調整し、且つ余分の塗料を塗料量調整ゾーンの隣りにある開口か
ら缶内に戻し、不必要時に開口を蓋により閉じることができるため、塗料の保管機能を充
分全うしつつ、塗装時における塗装用ロールの塗料の付着含有量の調整機能があり、しか
も開缶の際の切り口などが無く塗装作業時安全であり、付着含有量の調整過程で残留した
塗料の処置も容易であるという効果がある。
【００１５】
また、塗料量調整ゾーン上に形成した複数本の凸条により塗装用ロール上の塗料を均し
取って、塗料量を調整することができ、塗装時における塗装用ロールの塗料の付着含有量
を素早く調整することができるし、塗料量調整ゾーン上における塗装用ロールの塗料量調
整過程で残留した塗料は、開口に向けた傾斜を利用して缶内に戻すことができ、塗料量調
整ゾーン上に残った塗料を素早く缶内に戻すことができ、残余塗料の無駄を極力省くこと
ができる。
【００１６】
また、塗料缶の底板を、開口の下部方向に向かって低くなるように傾斜状に構成すれば
、塗料缶内の塗料が少なくなった時でも、塗料缶を傾けることなく塗料をロールに付着さ
せることができ、さらに、吊り手をトレイ面の内側に収納可能な状態で設けることにより
、搬送時あるいは保管のための載置時に、吊り手が積み重ねの邪魔にならず、安定した積
み重ね状態が得られるというメリットがある。
【発明を実施するための最良の形態】
【００１７】
以下に、図面を参照して本発明の実施の形態を説明する。
図１は本発明の実施の形態を示す塗料缶の平面図、図２はその断面図、図３はその拡大
断面図、図４は図１の塗料缶から押し蓋を外した状態の平面図、図５は図２の塗料缶から
押し蓋を外した状態の断面図、図６、図８は本発明の実施例１に示した塗料缶の使用状態
の平面図、図７、図９は同じく実施例１に示した塗料缶の使用状態の断面図である。
【実施例１】
【００１８】
図において、塗料缶１は、塗料２を収容する缶３の天板４をトレイ状に凹ませてトレイ
５を形成し、このトレイ５に塗装用ロール６を出し入れでき蓋７により開閉できる開口８
を設けると共に、塗装用ロール６に塗料２を付着含有する量を調整するための塗料量調整
ゾーン９をトレイ５に設けてなるものである。
【００１９】
前記缶３は、本例においては１８Ｌ（リットル）入りの角形缶を示すが、缶の大きさや
形状には限定がなく、９Ｌ入り、あるいはそれ以下のものでも良く、円筒缶でも差し障り
がない。この缶３の天板４は、有壁内部が凹まされてトレイ５状に形成されている。この
トレイ５は、その半分よりやや狭い平坦面１０と、それに続き登り勾配となっている傾斜
面１１とが形成されている。この塗料量調整ゾーン９は必ずしも傾斜面に形成されている
必要はなく、平面であってもよい。平坦面１０には開口８が形成され、この開口８は前記
塗装用ロール６のロール部６ａが自在に出し入れできるように形成されている。開口８は
、この実施の形態では長円形状となっているが、塗装用ロール６のロール部６ａが縦形で
あっても横形であっても自在に出し入れできれば、特に限定がない。
【００２０】
この開口８には蓋７が開閉可能に取り付けられる。この開口８は長円形状であるため精
度が取りづらいので、蓋７の周縁部下面にパッキン１２が取り付けられて、蓋７のパッキ
ン１２と開口８とが相俟って、その密封性が確保されている。そして、この蓋７は押し蓋
形式にされており、蓋７と開口８の間に凹部８ａを形成し、この部分にドライバーのよう
な金属片などを差し込んでこじ開け易くされている。
【００２１】
前記傾斜面１１には複数本の凸条２０が図１中の４角形の缶３の一辺３ａに対してほぼ
４０度の角度をもって設けられ、更にこれら複数本の凸条２０と対称に複数本の凸条２１
が設けられて、前記塗料量調整ゾーン９を形成している。すなわち、この傾斜面１１に設
けられた少なくとも１本の凸条２０及び２１上に、塗料２を付着含有している塗装用ロー
ル６のロール部６ａを転がすことにより、ロール部６ａの塗料２を均し余分な塗料２を取
り除き、ロール部６ａに付着含有する量を調整することができる。
【００２２】
また、この例では、塗料量調整ゾーン９は前記開口８に向かう傾斜面１１に形成されて
いるため、取り除いた余分な塗料２は開口８側に流れ易くなっていて、缶３内に戻しやす
くなっている。なお、塗料量調整ゾーン９に付けた凸条２０及びこれらと対称の凸条２１
は、それらの数、形状及び配置について特に限定がなく、塗料量調整ゾーン９上にロール
部６ａが転がされた際、付着含有している塗料２を均し余分な塗料２が取り除かれ、塗料
２の量を調整することができるものであれば良い。また、前記缶３の側板上部に吊り手２
２が取り付けられ、塗料缶１を持ち運び易くしてある。吊り手２２の素材は通常金属であ
るが、高強度のプラスチックであってもよい。
【００２３】
次に上記構成になる塗料缶１の使用方法について詳述する。
まず、塗装対象物に最適な塗料２の入った塗料缶１を選択すると共に、塗装対象物に最
適な塗料２を最適に塗装できるロール部６ａを有する塗装用ロール６を選択する。塗料２
の入った塗料缶１は、図１、２の状態であり、蓋７を開けるには、開口８の一部に形成さ
れた凹部８ａ部分に、ドライバーなどを掛けて力を加え、開口８から蓋７を外して、図４
、５に示すように開缶する。
【００２４】
次に、図６、７に示すように、開口８から缶３内に塗装用ロール６のロール部６ａを入
れ、塗料２を適量付着含有させ、缶３から塗装用ロール６のロール部６ａを出して、図８
、９に示すように、前記塗料量調整ゾーン９上で塗装用ロール６のロール部６ａを転がし
、ロール部６ａの塗料２を均し余分な塗料２を取り除き、ロール部６ａに付着含有してい
る塗料２の量を塗装対象物に合わせて調整する。そして、塗装対象物を塗装用ロール６の
ロール部６ａにて塗装し、塗料２が不足してきたら、再び上記の操作を繰り返し塗装対象
物を塗装してゆけばよい。なお、塗装用ロール６のロール部６ａの塗料２の量を調整する
過程で、塗料量調整ゾーン９上に残留した塗料２は、前記開口８から缶３内に戻してやれ
ばよく、この際、塗料量調整ゾーン９が傾斜面１１に形成されていれば、残余の塗料は、
わざわざ塗料缶を傾けなくとも、ひとりでに開口８から缶３内に向けて流れて行くように
なる。
【実施例２】
【００２５】
図１０、１１は本発明の実施例２の形態を示す塗料缶１ａを示すもので、この塗料缶１
ａと図１ないし９に示す実施形態との相違点は、開口８ａが円形状であり、更に塗料量調
整ゾーン９ａに傾斜が無く、塗料量調整ゾーン９ａに互いに平行に設けられた複数本の凸
条２３がある点である。したがって、開口８ａから缶３内に塗装用ロール６のロール部６
ａを入れる際、ロール部６ａを立てて入れてやる必要がある。その他の構成、作用は図１
ないし９に示す実施形態とほぼ同様なので、図面に符号を付して、その説明を省略する。
【実施例３】
【００２６】
図１２は本発明の実施例３の形態を示す塗料缶１ｂを示すもので、この塗料缶１ｂと図
１ないし１１に示す実施形態との相違点は、塗料缶１ｂの底板１３が、開口８の下部に向
かって低くなるように傾斜状に形成されている点である。底板をこのように傾斜状に形成
することによって、塗料の残量が少なくなった時でも、わざわざ塗料缶を傾けることなく
塗料をロールに付着させることができ、作業性が向上する。また、傾斜状底板１３の低い
方の缶壁との接合部を鋭角にすることなく、図１３に示したように、若干鈍角ないし丸み
を帯びた形状１３ａにすることにより、残った塗料をすべてロールに付着させることがで
き、無駄なく全量を使い切ることができる。その他の構成、作用は図１ないし１１に示す
実施形態とほぼ同様なので、図面に符号を付して、その説明を省略する。
【実施例４】
【００２７】
図１４は本発明の実施例４の形態を示す塗料缶１ｃを示すもので、この塗料缶１ｃと図
１ないし１３に示す実施形態との相違点は、塗料缶１ｃのトレイ５面に、トレイ内に収容
可能な吊り手２２ａを設けた点にある。この吊り手２２ａは、不使用時に左右どちら側に
倒した場合も、トレイ内に収容可能であることが必要であり、したがって、その吊り手２
２ａの軸受け部２２ｂはトレイ面のほぼセンター部両サイドに設けられている。この吊り
手２２ａは、図１５からも分かるように、倒した状態、つまり不使用時には吊り手２２ａ
がどちら側に倒れていてもトレイ内にほぼ沈んだ状態で収納されていることが好ましい。
吊り手２２ａをこのようにすることで、図６に示したような缶側面の吊り手２２取り付け
部の突出がなくなり、缶の搬送ならびに保管時の載置において、缶同士を密接させること
も可能であり、また安定した積み重ね状態が得られる。その他の構成、作用は図１ないし
１３に示す実施形態とほぼ同様なので、図面に符号を付して、その説明を省略する。
【００２８】
以上、本発明の実施形態を説明したが、具体的な構成はこれに限定されず、本発明の要
旨を逸脱しない範囲での変更は適宜なし得るものと理解されるべきである。
【産業上の利用可能性】
【００２９】
本発明の塗料缶は、塗装作業の中断または終了時に残りの塗料を缶内に戻し、開口を蓋
により閉じることができるため、塗料の保管機能を充分全うしつつ、塗装時における塗装
用ロールの塗料の付着含有量の調整機能があり、しかも開缶の際の切り口などが無く塗装
作業時安全であり、付着含有量の調整過程で残留した塗料の処置も容易であるという簡便
にして作業性に優れているために、塗装業者はもちろんのこと、一般家庭においてこのよ
うな作業に不慣れな人でも簡単に塗装作業を楽しめるという広い階層での利用可能性が期
待出来る。
【図面の簡単な説明】
【００３０】
【図１】本発明の実施の形態を示す塗料缶の平面図である。
【図２】図１に示した塗料缶の断面図である。
【図３】本発明の塗料缶の拡大断面図である。
【図４】図１の塗料缶から押し蓋を外した状態の平面図である。
【図５】図２の塗料缶から押し蓋を外した状態の断面図である。
【図６】本発明の塗料缶の使用状態の平面図である。
【図７】本発明の塗料缶の使用状態の断面図である。
【図８】本発明の塗料缶の使用状態の平面図である。
【図９】本発明の塗料缶の使用状態の断面図である。
【図１０】本発明の実施例２の塗料缶の使用状態の平面図である。
【図１１】本発明の実施例２の塗料缶の使用状態の断面図である。
【図１２】本発明の実施例３の塗料缶の使用状態の断面図である。
【図１３】本発明の実施例３の塗料缶の他の態様の使用状態の断面図である。
【図１４】本発明の実施例４の塗料缶の使用状態の平面図である。
【図１５】本発明の実施例４の塗料缶の吊り手の位置関係を示す断面図である。
【図１６】塗料缶の従来例を示す斜視図である。
【図１７】塗料缶の従来例を示す斜視図である。
【符号の説明】
【００３１】
１，１ａ，ａ，ａ１        塗料缶
２，ｐ                    塗料
３，ｂ                    缶
３ａ                      一辺
４，ｆ                    天板
５                        トレイ
６，ｅ                    塗装用ロール
６ａ                      ロール部
７                        蓋
８，８Ａ                  開口
８ａ                      凹部
９，９ａ                  塗料量調整ゾーン
１０                      平坦面
１１                      傾斜面  
１２                      パッキン
１３                      傾斜状底板
１３ａ                    底板と缶壁の接合部
２０，２１，２３          凸条
２２，２２ａ              吊り手
２２ｂ                    吊り手軸受
ｃ                        側板
ｄ                        線状突起
ｇ                        ネット
【図１】
2004331225.tif 000003
【図２】
2004331225.tif 000004
【図３】
2004331225.tif 000005
【図４】
2004331225.tif 000006
【図５】
2004331225.tif 000007
【図６】
2004331225.tif 000008
【図７】
2004331225.tif 000009
【図８】
2004331225.tif 000010
【図９】
2004331225.tif 000011
【図１０】
2004331225.tif 000012
【図１１】
2004331225.tif 000013
【図１２】
2004331225.tif 000014
【図１３】
2004331225.tif 000015
【図１４】
2004331225.tif 000016
【図１５】
2004331225.tif 000017
【図１６】
2004331225.tif 000018
【図１７】
2004331225.tif 000019
【手続補正書】
【提出日】平成16年4月15日(2004.4.15)
【手続補正１】
【補正対象書類名】明細書
【補正対象項目名】００２９
【補正方法】変更
【補正の内容】
【００２９】
本発明の塗料缶は、塗装作業の中断または終了時に残りの塗料を缶内に戻し、開口を蓋
により閉じることができるため、塗料の保管機能を充分全うしつつ、塗装時における塗装
用ロールの塗料の付着含有量の調整機能があり、しかも開缶の際の切り口などが無く塗装
作業時安全であり、付着含有量の調整過程で残留した塗料の処置も容易であるという簡便
にして作業性に優れているために、塗装業者はもちろんのこと、一般家庭においてこのよ
うな作業に不慣れな人でも簡単に塗装作業を行えるという広い階層での利用可能性が期待
出来る。